(57)【要約】【課題】荷室の外側から冷凍室への積荷の出し入れを行うことができ、且つ積荷の出し入れに起因する冷凍室の室温の上昇を抑制することが可能な車両の荷台構造の提供。【解決手段】冷凍庫３２は、荷台３の側パネル６と部分的に置き換えられて起立する左パネル部３６を有する。左パネル部３６は、荷台３の外側から冷凍庫３２の冷凍室３１へ貫通する開口部５２を、荷台の床パネル８よりも上方に有する。開口部４２には、開口部４２を開閉自在に閉止して冷凍室３１を密閉する開閉扉４３が設けられる。床パネル８のうち開口部４３の下方には、床パネル８を貫通する孔部５１が形成される。冷凍庫３２は、孔部５１を挿通して床パネル８の下方へ突出する突出下部４１を有する。冷凍室３１は、床パネル８の上方の上空間４６と、床パネル８の下方で突出下部４１に区画されて上空間４６と連通する下空間４７とを有する。【選択図】図３
2011057085.tif 000002
【特許請求の範囲】
【請求項１】
前後及び左右でそれぞれ起立する４つの面体と上方の天井面体と下方の床面体とを有する箱型荷台の荷室内の一部に冷凍庫を装備する車両の荷台構造であって、
前記冷凍庫は、左右又は後で起立する前記箱型荷台の３つの面体の一つである第１面体によって構成され、又は該第１面体と部分的に置き換えられて起立して該第１面体と密接する別部材によって構成され、或いは該第１面体の内面に密接して起立する別部材によって構成された側壁部を有し、
前記冷凍庫の側壁部は、前記箱型荷台の外側から前記冷凍庫の内部の冷凍室へ貫通する開口部を、前記床面体よりも上方に有し、
前記開口部には、該開口部を開閉自在に閉止して前記冷凍室を密閉する開閉扉が設けられ、
前記床面体のうち前記開口部の下方には、該床面体を貫通する孔部が形成され、
前記冷凍庫は、前記孔部を挿通して前記床面体の下方へ突出し又は前記孔部の周縁部から前記床面体の下方へ突出する突出下部を有し、
前記冷凍室は、前記床面体の上方の上空間と、前記床面体の下方で前記突出下部に区画されて前記上空間と連通する下空間とを有する
ことを特徴とする荷台構造。
【請求項２】
請求項１に記載の車両の荷台構造であって、
前記冷凍庫は、前記箱型荷台の前記起立する４つの面体のうち前記第１面体を除く３つの面体の一つであって該第１面体と交叉する第２面体によって構成され、又は該第２面体と部分的に置き換えられて起立して該第２面体と密接する別部材によって構成され、或いは該第２面体の内面に密接して起立する別部材によって構成された第２の側壁部を有する
ことを特徴とする荷台構造。
【発明の詳細な説明】
【技術分野】
【０００１】
本発明は、冷凍庫を備えた車両の荷台構造に関する。
【背景技術】
【０００２】
車両の箱型荷台の荷室内に装備される冷凍庫として、荷室内で開閉する蓋を冷凍庫に設け、蓋を開閉することによって冷凍室への積荷の出し入れを行うものが知られている。
【先行技術文献】
【特許文献】
【０００３】
【特許文献１】特開平１−１７４８７３号公報
【発明の概要】
【発明が解決しようとする課題】
【０００４】
上記構造では、冷凍室への積荷の出し入れを行う作業者は、都度荷室内に乗り込んで作業を行わなければならず、作業が煩雑である。
【０００５】
かかる不都合は、冷凍室を荷室の外部に開放する開口部と、開口部を開閉自在に閉止する蓋とを設けることによって解消可能である。
【０００６】
しかし、冷凍室を荷室の外部に開放する開口部を設けると、荷室の外側から積荷の出し入れを行う際に、開放された開口部から冷凍室へ外気が侵入するため、冷凍室の室温が急激に上昇してしまい、冷凍室内の積荷に悪影響を与えてしまう可能性が生じる。
【０００７】
そこで、本発明は、荷室の外側から冷凍室への積荷の出し入れを行うことができ、且つ積荷の出し入れに起因する冷凍室の室温の上昇を抑制することが可能な車両の荷台構造の提供を目的とする。
【課題を解決するための手段】
【０００８】
上記目的を達成するため、本発明は、前後及び左右でそれぞれ起立する４つの面体と上方の天井面体と下方の床面体とを有する箱型荷台の荷室内の一部に冷凍庫を装備する車両の荷台構造であって、冷凍庫は、左右又は後で起立する箱型荷台の３つの面体の一つである第１面体によって構成され、又は第１面体と部分的に置き換えられて起立して第１面体と密接する別部材によって構成され、或いは第１面体の内面に密接して起立する別部材によって構成された側壁部を有し、冷凍庫の側壁部は、箱型荷台の外側から冷凍庫の内部の冷凍室へ貫通する開口部を、床面体よりも上方に有し、開口部には、開口部を開閉自在に閉止して冷凍室を密閉する開閉扉が設けられ、床面体のうち開口部の下方には、床面体を貫通する孔部が形成され、冷凍庫は、孔部を挿通して床面体の下方へ突出し又は孔部の周縁部から床面体の下方へ突出する突出下部を有し、冷凍室は、床面体の上方の上空間と、床面体の下方で突出下部に区画されて上空間と連通する下空間とを有する。
【０００９】
上記構成では、作業者は、荷室の外側から開閉扉を開けて開口部を開放することにより、冷凍室に対して積荷の出し入れを行うことができる。
【００１０】
また、開口部を開放して荷室の外側から積荷の出し入れを行う際には、外気が冷凍室へ侵入し、侵入した外気は、冷凍室の室温よりも高温であるため、冷凍室の上部へ向かって流れる。このため、冷凍室のうち開口部よりも下方の領域は、外気が流入し難い冷気溜まりとして機能する。ここで、上記構成では、冷凍庫は、床面体の下方へ突出する突出下部を有し、冷凍室は、床面体の上方の上空間と、床面体の下方で突出下部に区画されて上空間と連通する下空間とを有するので、床面体の上方にのみ冷凍室を形成する場合に比べて、開口部から下方へ離れた下空間の分だけ空気溜まりとして機能する領域を拡大することができ、積荷の出し入れに起因する冷凍室の室温の上昇を効果的に抑制することができる。
【００１１】
また、上記冷凍庫は、箱型荷台の起立する４つの面体のうち第１面体を除く３つの面体の一つであって第１面体と交叉する第２面体によって構成され、又は第２面体と部分的に置き換えられて起立して第２面体と密接する別部材によって構成され、或いは第２面体の内面に密接して起立する別部材によって構成された第２の側壁部を有してもよい。
【００１２】
上記構成では、冷凍庫が箱型荷台の隅部に配置されるので、荷室にデッドスペースが生じ難く、限られた荷室内の空間を有効に活用することができる。
【発明の効果】
【００１３】
本発明によれば、荷室の外側から冷凍室への積荷の出し入れを行うことができ、且つ積荷の出し入れに起因する冷凍室の室温の上昇を抑制することができる。
【図面の簡単な説明】
【００１４】
【図１】本実施形態の荷台構造を有する箱型荷台を斜め前方から視た外観斜視図である。
【図２】図１の荷室を斜め後方から視た斜視図である。
【図３】図１の荷台を後方から視た断面図である。
【図４】図１の荷台を側方から視た断面図である。
【図５】図１の荷台を上方から視た断面図である。
【図６】変形例の箱型荷台を斜め前方から視た外観斜視図である。
【図７】図６の荷台を後方から視た断面図である。
【図８】図６の荷台を側方から視た断面図である。
【図９】図６の荷台を上方から視た断面図である。
【図１０】他の変形例の荷台を上方から視た断面図である。
【図１１】さらに他の変形例の箱型荷台を斜め前方から視た外観斜視図である。
【発明を実施するための形態】
【００１５】
本発明の一実施形態を図面に基づいて説明する。なお、各図において、ＦＲは車両の前方を、ＩＮは車幅方向の内側を、ＵＰは上方をそれぞれ示す。また、以下の説明において、左右方向は車両前方を向いた状態での左右方向を意味する。
【００１６】
図１及び図２に示すように、車両（トラック）１のキャブ２の後方には、箱型荷台３が搭載されている。荷台３は、前後及び左右でそれぞれ起立する４つの面体（前端の前パネル４、後端左右の荷室開閉扉５、左右の側パネル６）と、上部の天井面体（天井パネル７）と、下部の床面体（床パネル８）とを有する。各面体は、隣接する他の４つの面体と略直角に交叉し、これらの面体によって荷室９が区画されている。なお、本実施形態では、左側の側パネル６が第１面体を構成し、前パネル４が第２面体を構成する。
【００１７】
床パネル８の上面は、荷物が積載される床面を形成する。荷台３の前後には、枠部材１０，１１がそれぞれ立設され、荷台３の左右の上辺部分には、前後に延びる梁部材１２（図１に左側のみ図示）が前後の枠部材１０，１１間にそれぞれ架設されている。前パネル４は、前側の枠部材１０に固定されて荷室９の前方を閉止する。荷室開閉扉５は、後側の枠部材１１に回転自在に連結されて荷室９の後方を開閉する。側パネル６及び天井パネル７の周縁部は、枠部材１０，１１及び梁部材１２にそれぞれ固定されている。
【００１８】
図２〜図５に示すように、本実施形態の荷台構造は、荷室９内の一部に保冷庫２０を装備している。保冷庫２０は、荷室９の前部で床パネル８の床面上に載置され固定される。保冷庫２０は、冷蔵室２１を有する右側の冷蔵庫２２と、冷凍室３１を有する左側の冷凍庫３２とからなる。冷凍室３１の室内温度は、冷蔵庫２１の室内温度よりも低温に設定される。
【００１９】
冷蔵庫２２は、上パネル部２３と左パネル部２４と後パネル部２５とを有する。上パネル部２３は、天井パネル７に対向して配置され、その前端縁は前パネル４に密接し、その右端縁は右側の側パネル６に密接する。左パネル部２４は、右側の側パネル６と対向して起立し、その前端縁は前パネル４に密接し、その上端縁は上パネル部２３の左端縁に密接し、その下端縁は床パネル８に密接する。後パネル部２５は、前パネル４と対向して起立し、その上端縁は上パネル部２３の後端縁に密接し、その右端縁は右側の側パネル６に密接し、その左端縁は左パネル部２４の後端縁に密接し、その下端縁は床パネル４に密接する。冷蔵室２１の前後左右及び上下は、前パネル４と後パネル部２４と側パネル部２４と右側の側パネル６と上パネル部２３と床パネル８とによってそれぞれ区画される。上パネル部２３と側パネル部２４と後パネル部２５とは、断熱材を内装パネルと外装パネルとで挟んだサンドイッチ構造の断熱パネル材によって形成される。なお、特に図示していないが、冷蔵庫２２には、冷蔵室２１を荷室９内へ開放する開口部と、この開口部を開閉自在に閉止して冷蔵室２１を密閉する開閉扉とが設けられている。
【００２０】
冷凍庫３２は、前パネル部３３と後パネル部３４と上パネル部３５と左パネル部３６と右側上パネル部３７と右側下パネル部３８と上段床パネル部３９と下段床パネル部４０とを有する。これらのパネル部３３〜４０は、上記冷蔵庫２２と同様に、サンドイッチ構造の断熱パネル材によって形成される。なお、本実施形態では、左パネル部３６が第１面体（左側の側パネル６）に部分的に置き換えられて起立して側パネル６に密接する側壁部を構成し、前パネル部３３が第２面体（前パネル４）の内面に密接して起立する第２の側壁部を構成する。また、荷台３のパネル４〜８に対して冷蔵庫２１のパネル部２３〜２５や冷凍庫３２のパネル部３３〜４０が交叉する部分、及びパネル部２３〜２５、３３〜４０同士が交叉する部分は、Ｌ型アングル材（図示省略）によって連結されている。
【００２１】
上パネル部３５は、略水平に配置され、左パネル部３６と右側上パネル部３７とは、それぞれの上端縁が上パネル部３５の左右の端縁に密接した状態で、相対向して鉛直下方へ延びる。右側上パネル部３７の上下方向の長さは、左パネル部３６の上下方向の長さよりも短く、上段床パネル部３９は、右側上パネル部３７の下端縁から略直角に曲折して左パネル部３６へ向かって延びる。右側下パネル部３８は、上段床パネル部３９の下端縁から略直角に曲折し、左パネル部３６と対向して鉛直下方へ延びる。左パネル部３６の下端縁と右側下パネル部３８の下端縁とは、ほぼ同じ高さであり、下段床パネル部３９の左右の端縁は、左パネル部３６及び右側下パネル部３８の各下端縁とそれぞれ密接する。前パネル部３３の周縁は、上パネル部３５、左パネル部３６、右側上パネル部３７、右側下パネル部３８、上段床パネル部３９及び下段床パネル部４０の各前端縁と密接し、後パネル部３４の周縁は、上パネル部３５、左パネル部３６、右側上パネル部３７、右側下パネル部３８、上段床パネル部３９及び下段床パネル部４０の各後端縁と密接する。冷凍室３１の前後は、前パネル部３３と後パネル部３４とによって区画され、左右は、左パネル部３６と右側上パネル部３７と右側下パネル部３８とによって区画され、上下は、上パネル部３５と上段床パネル部３９と下段床パネル部４０とによって区画される。また、前パネル部３３の下部と後パネル部３４の下部と左パネル部３６の下部と右側下パネル部３８と下段床パネル部４０とは、突出下部４１を構成する。
【００２２】
床パネル８の左前隅部には、冷凍庫３２の突出下部４１の外形に合わせた矩形切り欠き状の孔部５１が形成されている。冷凍庫３２の上端床パネル部３９は、突出下部４１が孔部を挿通して床パネル８の下方へ突出した状態で、孔部５１の右縁近傍の床パネル６上に載置される。係る状態で、冷凍室３１は、床パネル８の上方の上空間４６と、床パネル８の下方の下空間４７とを有する。下空間４７は、突出下部４１に区画され、上空間４６と連通する。上空間４６と下空間４７とは、ともに積荷の収容空間として使用される。
【００２３】
左側の側パネル６の前下隅部には、冷凍庫３２の左パネル部３６の外形に合わせた矩形切り欠き状の開口部５２が形成されている。左パネル部３６は、開口部５２に挿入されて荷台３の外側へ露出している。側パネル６の開口端面は、左パネル部３６の上端面と後端面がそれぞれ密接し、側パネル６の外面と左パネル部３６の外面とは略同一面上に配置されている。なお、側パネル６の外面と左パネル部３６の外面との境界部分を、モール等の装飾材によって覆ってもよい。
【００２４】
冷凍庫３２の左パネル部３６には、床パネル６の孔部５１の上方で冷凍室３１を開放する略矩形の開口部４２が形成されている。開口部４２には、左パネル部３６に回転自在に支持された開閉扉４３が設けられている。開閉扉４３は、開口部４２を開閉自在に閉止して冷凍室３１を密閉する。また、冷凍庫３２の上パネル部３５には、荷室９内で冷凍室３１を開放する略矩形の室内開口部４４が形成されている。室内開口部４４には、上パネル部３５に回転自在に支持された室内用扉４５が設けられている。室内用扉４５は、室内開口部４３を開閉自在に閉止して冷凍室３１を密閉する。なお、開閉扉４３の内側に、上端部が冷蔵庫３２に支持されて垂下する保冷用カーテンを設けてもよい。
【００２５】
保冷庫２０の上方の空間は、冷蔵室２１及び冷凍室３１をそれぞれ所望の温度に冷却するための冷気を供給する空調ユニット（図示省略）が配置される。空調ユニットは、コンデンサ、レシーバタンク、エバポレータ、コンプレッサ及びこれらを連結する管路、ファン、ファンモータなどを含む。
【００２６】
本実施形態によれば、車両の運転者などの作業者は、荷室９の外側から開閉扉４３を開けて開口部４２を開放することにより、冷凍室３１に対して積荷の出し入れを行うことができる。
【００２７】
また、開口部４２を開放して荷室９の外側から積荷の出し入れを行う際には、外気が冷凍室３１へ直接侵入する。この侵入した外気は、冷凍室３１の室温よりも高温であるため、冷凍室３１の上部へ向かって流れる。このため、冷凍室３１のうち開口部４２よりも下方の領域は、外気が流入し難い冷気溜まりとして機能する。ここで、本実施形態の冷凍庫３２は、孔部５１を挿通して床パネル８の下方へ突出する突出下部４１を有し、冷凍室３１は、床パネル８の上方の上空間４６と、床パネル８の下方で突出下部４１に区画されて上空間４６と連通する下空間４７とを有するので、床パネル８の上方にのみ冷凍室を形成する場合に比べて、開口部４２から下方へ離れた下空間４７の分だけ空気溜まりとして機能する領域を拡大することができ、積荷の出し入れに起因する冷凍室３１の室温の上昇を効果的に抑制することができる。
【００２８】
また、冷凍庫３２が荷室９の前左隅部に配置されるので、荷室９にデッドスペースが生じ難く、限られた荷室９内の空間を有効に活用することができる。
【００２９】
なお、上記実施形態では、冷凍庫３２の側壁部を第１面体（左側の側パネル６）と部分的に置き換えられて起立して第１面体と密接する別部材（左パネル部３６）によって構成したが、例えば、側壁部を第１面体によって構成してもよく、或いは側壁部を第１面体の内面に密接して起立する別部材によって構成してもよい。
【００３０】
また、上記実施形態では、床パネル８の孔部５１を挿通する突出下部４１としたが、例えば、床パネル８の孔部の周縁部から突出する突出下部としてもよい。
【００３１】
また、上記実施形態では、第２の側壁部を第２面体（前パネル４）の内面に密接して起立する別部材（前パネル部３３）によって構成したが、例えば、第２の側壁部を第２面体によって構成してもよく、或いは第２面体と部分的に置き換えられて起立して第２面体と密接する別部材によって構成してもよい。
【００３２】
なお、側壁部を第１面体によって構成する場合や、第２の側壁部を第２面体によって構成する場合、第１面体や第２面体は、サンドイッチ構造の断熱パネル材によって形成される。
【００３３】
図６〜図９に、側壁部を第１面体（左側の側パネル６）によって構成し、第２の側壁部を第２面体（前パネル４）によって構成し、床パネル８の孔部５１の周縁部から下方へ突出する突出下部４１とした例を示す。冷凍庫３２は、後パネル部３４と上パネル部３５と左側下パネル部６０と右側上パネル部３７と右側下パネル部３８と前側下パネル部６１と後側下パネル部６２と下段床パネル部４０とを有する。前側下パネル部６１と後側下パネル部６２と左側下パネル部６０と右側下パネル部３８とは、床パネル８の孔部５１の前後左右の周縁部からそれぞれ下方へ延び、下段床パネル部３９の左右の端縁は、前側下パネル部６１と後側下パネル部６２と左側下パネル部６０と右側下パネル部３８の各下端縁とそれぞれ密接する。前側下パネル部６１と後側下パネル部６２と左側下パネル部６０と右側下パネル部３８と下段床パネル部３９とは、突出下部４１を構成する。側パネル６には開口部４２が形成され、開口部４２には開閉扉４３が設けられている。
【００３４】
この例では、冷蔵庫２２の後パネル部２５と冷凍庫３２の後パネル部３４とが一枚のパネル材によって構成されている。また、冷蔵庫２２の左パネル部２４と冷凍庫３２の右側上パネル部３７とに代えて一枚の仕切り板６３が設けられ、仕切り板６３によって冷蔵室２１と冷凍室３１とが仕切られている。仕切り板６３は、サンドイッチ構造の断熱パネル材によって形成される。
【００３５】
また、図１０に、側壁部を第１面体（左側の側パネル６）の内面に密接して起立する別部材（左パネル部３６）によって構成し、第２の側壁部を第２面体（前パネル４）と部分的に置き換えられて起立して第２面体と密接する別部材（前パネル部３３）によって構成した例を示す。前パネル４の左下隅部には、冷凍庫３２の前パネル部３３の外形に合わせた矩形切り欠き状の開口部６４が形成されている。前パネル部３３は、開口部６４に挿入されて荷台３の前方へ露出している。前パネル４の開口端面は、前パネル部３３の上端面と右端面がそれぞれ密接し、前パネル６の外面と前パネル部３３の外面（前面）とは略同一面上に配置されている。冷凍庫３２の左パネル部３６には開口部４２が形成され、開口部４２には開閉扉４３が設けられている。側パネル６には、開口部４２を露出させる開口窓６５が形成されている。なお、開閉扉４３を側パネル６に回転自在に支持してもよく、開口部４２と開口窓６５の双方に開閉扉を設けてもよい。
【００３６】
また、図１１に示すように、左側の側パネル６の前部の上下方向全域を切除し、この切除した領域に左パネル部３６を配置し、左パネル部３６の上端を左側の枠部材１２に接合してもよい。
【００３７】
また、上記実施形態では、開口部５２を形成する第１面体を左側の側パネル６としたが、これに代えて右側の側パネル６に開口部を形成してもよい。また、荷室開閉扉５に代えて後パネルを固定し、この後パネルに開口部を形成してもよい。
【符号の説明】
【００３８】
１  車両
２  キャブ
３  箱型荷台
４  前パネル（起立する面体）
５  荷室開閉扉（起立する面体）
６  側パネル（起立する面体）
７  天井パネル（天井面体）
８  床パネル（床面体）
９  荷室
２０  保冷庫
２１  冷蔵室
２２  冷蔵庫
３１  冷凍室
３２  冷凍庫
３３  前パネル部（第２の側壁部）
３４  後パネル部
３５  上パネル部
３６  左パネル部（側壁部）
３７  右側上パネル部
３８  右側下パネル部
３９  上段床パネル部
４０  下段床パネル部
４１  突出下部
４２  開口部
４３  開閉扉
４６  上空間
４７  下空間
５１  孔部
５２  開口部
６０  左側下パネル部
６１  前側下パネル部
６２  後側下パネル部
６３  仕切り板
６４  開口部
６５  開口窓
【図１】
2011057085.tif 000003
【図２】
2011057085.tif 000004
【図３】
2011057085.tif 000005
【図４】
2011057085.tif 000006
【図５】
2011057085.tif 000007
【図６】
2011057085.tif 000008
【図７】
2011057085.tif 000009
【図８】
2011057085.tif 000010
【図９】
2011057085.tif 000011
【図１０】
2011057085.tif 000012
【図１１】
2011057085.tif 000013